(57)【要約】【課題】設置場所の通信環境によることなくファームウェアデータを取得することが可能で、かつ、映像機器と同じ規格の端子を含まない通信端末からでもファームウェアを取得することが可能な映像機器のファームウェア更新システムを提供する。【解決手段】このテレビジョン装置（映像機器）のファームウェア更新システム１は、音声、映像データ、第１制御信号を伝送して機器間の連携が可能なＨＤＭＩ端子１０１を介してデータ受信するテレビジョン装置１００と、３Ｇネットワーク通信を行いファームウェアを取得する３Ｇ送受信部２０１と、ＨＤＭＩ端子１０１にＭＨＬ−ＨＤＭＩ変換ケーブル３００を介して接続されＨＤＭＩと異なるとともに互換性を有するＭＨＬ端子２０３とを含み、少なくともファームウェアをＭＨＬ端子２０３を介し伝送する携帯電話２００とを備える。【選択図】図１
2012243247.tif 000002
【特許請求の範囲】
【請求項１】
複数の機器間で、音声データ、映像データおよび第１制御信号を伝送して機器間の連携動作を行うことが可能な第１インターフェース規格に対応する第１接続部を含み、少なくとも前記第１接続部を介して伝送されるデータを受信する映像機器と、
外部ネットワークと通信可能であるとともに前記外部ネットワークから前記映像機器用のファームウェアデータを取得する無線通信部と、前記第１接続部に所定のケーブルを介して接続され、前記第１インターフェース規格とは異なるとともに前記第１インターフェース規格とは相互に互換性を有する第２インターフェース規格に対応する第２接続部とを含み、少なくとも前記無線通信部により前記外部ネットワークから取得したファームウェアデータを前記第２接続部を介して前記映像機器側に伝送する携帯通信端末とを備える、映像機器のファームウェア更新システム。
【請求項２】
前記所定のケーブルは、前記第１接続部により伝送可能な前記第１インターフェース規格に対応する信号と前記第２接続部により伝送可能な前記第２インターフェース規格に対応する信号とを相互に変換するとともに、
前記映像機器と前記携帯通信端末とが、前記所定のケーブルにより接続されたことに基づいて、前記ファームウェアデータの更新に関する制御が開始されるように構成されている、請求項１に記載の映像機器のファームウェア更新システム。
【請求項３】
前記映像機器は、第１制御部を含み、
前記携帯通信端末は、第２制御部と、ファームウェアデータを記憶する記憶部とを含み、
前記第１制御部は、前記携帯通信端末の前記記憶部にファームウェアデータが記憶されているか否かを確認する前記第１制御信号を前記第１接続部を介して前記携帯通信端末側に伝送する制御を行うとともに、
前記第２制御部は、前記第１接続部を介して伝送された前記第１制御信号が前記所定のケーブルにより変換された第２制御信号に基づいて動作するとともに記憶部内にファームウェアデータが記憶されている場合には、前記記憶部内のファームウェアデータの存在を通知する前記第２制御信号とファームウェアデータとを前記映像機器側に伝送する制御を行うように構成されている、請求項２に記載の映像機器のファームウェア更新システム。
【請求項４】
前記第１制御部は、ファームウェアデータが前記映像機器に伝送された後、ファームウェアの更新処理を実行するように構成されている、請求項３に記載の映像機器のファームウェア更新システム。
【請求項５】
前記第２制御部は、ファームウェアデータが前記記憶部に記憶されていない場合には、外部ネットワークからファームウェアデータを取得するように前記無線通信部を制御するように構成されている、請求項３または４に記載の映像機器のファームウェア更新システム。
【請求項６】
前記第２制御部は、外部ネットワークからファームウェアデータを取得するように前記無線通信部を制御するとともに、前記映像機器を待機状態に移行させる前記第２制御信号を前記映像機器側に伝送するように制御し、かつ、前記無線通信部が外部ネットワークからファームウェアデータを取得した場合には、前記映像機器を待機状態から復帰させる前記第２制御信号を前記映像機器側に送信する制御を行うように構成されている、請求項５に記載の映像機器のファームウェア更新システム。
【請求項７】
前記第１接続部は、ＨＤＭＩ規格に対応するとともに、前記第２接続部は、ＭＨＬ規格に対応するように構成されているとともに、
前記所定のケーブルは、ＨＤＭＩデータとＭＨＬデータとを相互に変換するように構成され、かつ、第１接続部および第２接続部のＴＭＤＳ伝送路を介してファームウェアデータを伝送するように構成されている、請求項１〜６のいずれか１項に記載の映像機器のファームウェア更新システム。
【請求項８】
前記携帯通信端末の前記無線通信部は、３ＧネットワークまたはＷｉＦｉネットワークの少なくとも一方に接続可能であり、３ＧネットワークまたはＷｉＦｉネットワークの少なくとも一方からファームウェアデータを取得するように構成されている、請求項１〜７のいずれか１項に記載の映像機器のファームウェア更新システム。
【発明の詳細な説明】
【技術分野】
【０００１】
この発明は、映像機器のファームウェア更新システムに関し、特に、通信によりファームウェアデータを取得して映像機器のファームウェアの更新を行うファームウェア更新システムに関する。
【背景技術】
【０００２】
従来、通信によりファームウェアデータを取得して映像機器のファームウェアの更新を行うことが可能なファームウェア更新システムが知られている（たとえば、特許文献１参照）。
【０００３】
上記特許文献１には、インターネットに接続可能な外部通信部とＨＤＭＩ端子とを含むシンク機器（液晶ディスプレイ）と、ＨＤＭＩ端子を含むソース機器（ブルーレイディスクプレーヤ）とがＨＤＭＩケーブルを介して接続されたＡＶシステム（映像システム）が開示されている。ソース機器は、ＨＤＭＩケーブルを介してシンク機器側からシンク機器によって取得されたソース機器用のファームウェアデータを読み込み、読み込んだファームウェアデータを使用してファームウェアの更新を行うように構成されている。上記ソース機器とシンク機器とは通常は据え置きの状態で設置されて使用される。このため、シンク機器がインターネットを介してファームウェアデータを取得するためには、シンク機器をインターネットに接続できる環境下に設置する必要がある。
【先行技術文献】
【特許文献】
【０００４】
【特許文献１】特開２０１１−３５５８８号公報
【発明の概要】
【発明が解決しようとする課題】
【０００５】
しかしながら、上記特許文献１の映像システムでは、シンク機器がインターネット接続可能な環境下に設置されていない場合には、ファームウェアデータを取得することができないという問題点がある。また、ＨＤＭＩ端子がシンク機器に設けられていない場合には、ソース機器とシンク機器とを接続することができないため、ソース機器（映像機器）はシンク機器からファームウェアを取得することができないという問題点がある。
【０００６】
この発明は、上記のような課題を解決するためになされたものであり、この発明の１つの目的は、設置場所の通信環境によることなくファームウェアデータを取得することが可能で、かつ、映像機器と同じ規格の端子を含まない通信端末からでもファームウェアを取得することが可能な映像機器のファームウェア更新システムを提供することである。
【課題を解決するための手段および発明の効果】
【０００７】
この発明の一の局面による映像機器のファームウェア更新システムは、複数の機器間で、音声データ、映像データおよび第１制御信号を伝送して機器間の連携動作を行うことが可能な第１インターフェース規格に対応する第１接続部を含み、少なくとも第１接続部を介して伝送されるデータを受信する映像機器と、外部ネットワークと通信可能であるとともに外部ネットワークから映像機器用のファームウェアデータを取得する無線通信部と、第１接続部に所定のケーブルを介して接続され、第１インターフェース規格とは異なるとともに第１インターフェース規格とは相互に互換性を有する第２インターフェース規格に対応する第２接続部とを含み、少なくとも無線通信部により外部ネットワークから取得したファームウェアデータを第２接続部を介して映像機器側に伝送する携帯通信端末とを備える。
【０００８】
この発明の一の局面による映像機器のファームウェア更新システムでは、上記のように、外部ネットワークと通信可能であるとともに外部ネットワークから映像機器用のファームウェアデータを取得する無線通信部を携帯通信端末に設けるとともに、音声データ、映像データおよび第１制御信号を伝送して機器間の連携動作を行うことが可能な第１インターフェース規格に対応する第１接続部と、第１接続部に所定のケーブルを介して接続され、第１インターフェース規格とは異なるとともに第１インターフェース規格とは相互に互換性を有する第２インターフェース規格に対応する第２接続部とを設けることによって、携帯通信端末が無線通信部によって外部ネットワークからファームウェアデータを取得することができる。それにより、携帯通信端末が外部ネットワークに接続可能な通信エリア内にあるか、または、映像機器の設置場所に通信環境が整っていない場合でも、通信エリア内において予めファームウェアデータを取得しておけば、ファームウェアデータを取得することができる。また、第１インターフェース規格とは異なるとともに第１インターフェース規格とは相互に互換性を有する第２インターフェース規格に対応する第２接続部を第１接続部に所定のケーブルを介して接続することができるので、映像機器と同じ規格の第１接続部（端子）を含まない携帯通信端末からでも映像機器がファームウェアデータを取得することができる。
【０００９】
上記一の局面による映像機器のファームウェア更新システムにおいて、好ましくは、所定のケーブルは、第１接続部により伝送可能な第１インターフェース規格に対応する信号と第２接続部により伝送可能な第２インターフェース規格に対応する信号とを相互に変換するとともに、映像機器と携帯通信端末とが、所定のケーブルにより接続されたことに基づいて、ファームウェアデータの更新に関する制御が開始されるように構成されている。このように構成すれば、映像機器と携帯通信端末とを所定のケーブルを介して接続するだけで、ファームウェアデータの更新に関する制御を開始することができる。また、第１インタフェースに対応する信号と第２インターフェースに対応する信号とを変換する装置を映像機器と携帯通信端末との間に設ける必要がなくなるので、構成を簡素化することができる。
【００１０】
この場合、好ましくは、映像機器は、第１制御部を含み、携帯通信端末は、第２制御部と、ファームウェアデータを記憶する記憶部とを含み、第１制御部は、携帯通信端末の記憶部にファームウェアデータが記憶されているか否かを確認する第１制御信号を第１接続部を介して携帯通信端末側に伝送する制御を行うとともに、第２制御部は、第１接続部を介して伝送された第１制御信号が所定のケーブルにより変換された第２制御信号に基づいて動作するとともに記憶部内にファームウェアデータが記憶されている場合には、記憶部内のファームウェアデータの存在を通知する第２制御信号とファームウェアデータとを映像機器側に伝送する制御を行うように構成されている。このように構成すれば、第２制御部は記憶部内にファームウェアデータが記憶されている場合には、記憶部内のファームウェアデータを自動的に映像機器に伝送することができる。その結果、ファームウェア更新に関する保守作業者の操作量を減らすことができるので、保守作業者の作業負担を軽減することができる。
【００１１】
上記映像機器が第１制御部を含み、携帯通信端末が第２制御部とファームウェアデータを記憶する記憶部とを含む構成において、好ましくは、第１制御部は、ファームウェアデータが映像機器に伝送された後、ファームウェアの更新処理を実行するように構成されている。このように構成すれば、携帯通信端末から映像機器にファームウェアデータの送信が完了すると映像機器のファームウェア更新が自動的に開始される。これにより、保守作業者がファームウェアデータの送信完了を確認してファームウェア更新を開始する作業を不要にすることができる。
【００１２】
上記映像機器が第１制御部を含み、携帯通信端末が第２制御部とファームウェアデータを記憶する記憶部とを含む構成において、好ましくは、第２制御部は、ファームウェアデータが記憶部に記憶されていない場合には、外部ネットワークからファームウェアデータを取得するように無線通信部を制御するように構成されている。このように構成すれば、携帯通信端末の記憶部内にファームウェアデータが存在しない場合であっても、無線通信部がファームウェアデータを自動的に取得することができる。これにより、映像機器のファームウェア更新が中断することを抑制することができる。
【００１３】
この場合、好ましくは、第２制御部は、外部ネットワークからファームウェアデータを取得するように無線通信部を制御するとともに、映像機器を待機状態に移行させる第２制御信号を映像機器側に伝送するように制御し、かつ、無線通信部が外部ネットワークからファームウェアデータを取得した場合には、映像機器を待機状態から復帰させる第２制御信号を映像機器側に送信する制御を行うように構成されている。このように構成すれば、映像機器が携帯通信端末からファームウェアデータを取得している間は映像機器を待機状態にしておくとともに、携帯通信端末によるファームウェアデータの取得が完了した場合には映像機器を待機状態から復帰させることができる。これにより、携帯通信端末によりファームウェアデータを取得している間の映像機器の消費電力を低減することができる。
【００１４】
上記一の局面による映像機器のファームウェア更新システムにおいて、好ましくは、第１接続部は、ＨＤＭＩ規格に対応するとともに、第２接続部は、ＭＨＬ規格に対応するように構成されているとともに、所定のケーブルは、ＨＤＭＩデータとＭＨＬデータとを相互に変換するように構成され、かつ、第１接続部および第２接続部のＴＭＤＳ伝送路を介してファームウェアデータを伝送するように構成されている。このように構成すれば、互いにＴＭＤＳ伝送路を有する第１接続部と第２接続部との間で、高速なデータ伝送が可能なＴＭＤＳ伝送路を用いてファームウェアデータを伝送することができるので、携帯通信端末側から映像機器にファームウェアデータを高速で伝送することができる。
【００１５】
上記一の局面による映像機器のファームウェア更新システムにおいて、好ましくは、携帯通信端末の無線通信部は、３ＧネットワークまたはＷｉＦｉネットワークの少なくとも一方に接続可能であり、３ＧネットワークまたはＷｉＦｉネットワークの少なくとも一方からファームウェアデータを取得するように構成されている。このように構成すれば、携帯通信端末に汎用されている通信可能エリアの広い３Ｇネットワークまたは通信可能エリア（アクセスポイント）が多数存在するＷｉＦｉネットワークの少なくとも一方を用いることにより広いエリアでファームウェアデータを取得することができる。
【図面の簡単な説明】
【００１６】
【図１】本発明の第１および第２実施形態によるテレビジョン装置のファームウェア更新システムの構成を示したブロック図である。
【図２】本発明の第１および第２実施形態によるテレビジョン装置のブロック図である。
【図３】本発明の第１および第２実施形態による携帯電話のブロック図である。
【図４】本発明の第１実施形態によるテレビジョン装置のファームウェアの更新時におけるテレビジョン装置のＣＰＵおよび携帯電話のＣＰＵの制御動作を説明するためのフローチャートの前半部分である。
【図５】図４に示したフローチャートに続く後半部分のフローチャートである。
【図６】本発明の第２実施形態によるテレビジョン装置のファームウェアの更新時におけるテレビジョン装置のＣＰＵおよび携帯電話のＣＰＵの制御動作を説明するためのフローチャートである。
【発明を実施するための形態】
【００１７】
（第１実施形態）
以下、図１を参照して、本発明の第１実施形態によるテレビジョン装置１００のファームウェア更新システム１の構成について説明する。なお、テレビジョン装置１００のファームウェア更新システム１は、本発明の「映像機器のファームウェア更新システム」の一例である。また、テレビジョン装置１００は、本発明の「映像機器」の一例である。
【００１８】
本発明の第１実施形態によるテレビジョン装置１００のファームウェア更新システム１は、図１に示すように、テレビジョン装置１００と、携帯電話２００と、ＭＨＬ（Ｍｏｂｉｌｅ  Ｈｉｇｈ−ｄｅｆｉｎｉｔｉｏｎ  Ｌｉｎｋ）−ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）変換ケーブル３００とにより構成されている。テレビジョン装置１００のＨＤＭＩ端子１０１と携帯電話２００のＭＨＬ端子２０３とは、ＭＨＬ−ＨＤＭＩ変換ケーブル３００を介して接続され、双方向に信号を伝送することが可能なように構成されている。携帯電話２００は、３Ｇ（３ｒｄ  Ｇｅｎｅｒａｔｉｏｎ）ネットワークまたはＷｉＦｉ（Ｗｉｒｅｌｅｓｓ  Ｆｉｄｅｌｉｔｙ）ネットワークに接続することによってファームウェアデータをダウンロードすることが可能なように構成されている。携帯電話２００によりダウンロードされたファームウェアデータは、ＭＨＬ−ＨＤＭＩ変換ケーブル３００を介して、携帯電話２００からテレビジョン装置１００に伝送されるように構成されている。なお、携帯電話２００は、本発明の「携帯通信端末」の一例である。また、ＭＨＬ−ＨＤＭＩ変換ケーブル３００は、本発明の「所定のケーブル」の一例である。また、ＨＤＭＩ端子１０１は、本発明の「第１接続部」の一例である。また、ＭＨＬ端子２０３は、本発明の「第２接続部」の一例である。
【００１９】
テレビジョン装置１００は、図２に示すように、ＨＤＭＩ端子１０１と、ＨＤＭＩ送受信部１０２と、ＣＰＵ（ｃｅｎｔｒａｌ  ｐｒｏｃｅｓｓｉｎｇ  ｕｎｉｔ）１０３と、チューナ１０４と、表示部１０５と、音声出力部１０６と、メモリ１０７とを備えている。テレビジョン装置１００は、ＨＤＭＩ規格に対応している。なお、ＣＰＵ１０３は、本発明の「第１制御部」の一例である。また、メモリ１０７は、本発明の「記憶部」の一例である。また、ＨＤＭＩ規格は、本発明の「第１インターフェース規格」の一例である。
【００２０】
ここで、第１実施形態では、ＨＤＭＩ端子１０１は、ＭＨＬ−ＨＤＭＩ変換ケーブル３００を介して、携帯電話２００のＭＨＬ端子２０３に接続されている。テレビジョン装置１００は、ＨＤＭＩ端子１０１を介して信号の送受信を行うことが可能である。ＨＤＭＩ端子１０１は、高速データ通信が可能なＴＭＤＳ（Ｔｒａｎｓｉｔｉｏｎ  Ｍｉｎｉｍｉｚｅｄ  Ｄｉｆｆｅｒｅｎｔｉａｌ  ｓｉｇｎａｌ）伝送路や制御信号（コマンド）の伝送に用いるＣＥＣ（Ｃｏｎｓｕｍｅｒ  ｅｌｅｃｔｒｉｃ  Ｃｏｎｔｒｏｌ）伝送路などを含む。
【００２１】
ＨＤＭＩ送受信部１０２は、ＨＤＭＩ端子１０１とＣＰＵ１０３との間に設けられている。ＨＤＭＩ送受信部１０２は、ＭＨＬ−ＨＤＭＩ変換ケーブル３００を介して、テレビジョン装置１００から携帯電話２００にコマンド（ＣＥＣ制御信号）を送信するように構成されている。また、ＨＤＭＩ送受信部１０２は、ＭＨＬ−ＨＤＭＩ変換ケーブル３００を介して、携帯電話２００からテレビジョン装置１００に送信されたコマンド（後述するＣＢＵＳ制御信号）およびファームウェアデータを受信するように構成されている。
【００２２】
ＣＰＵ１０３は、テレビジョン装置１００の各部の制御を行うように構成されている。たとえば、ＣＰＵ１０３は、チューナ１０４により受信されたテレビジョン放送信号を表示部１０５に出力することによって、表示部１０５に映像を表示させるように構成されている。また、ＣＰＵ１０３は、チューナ１０４により受信されたテレビジョン放送信号を音声出力部１０６に出力することによって、音声出力部１０６から音声を出力させるように構成されている。
【００２３】
また、第１実施形態では、ＣＰＵ１０３は、ＨＤＭＩ送受信部１０２を制御することによって、テレビジョン装置１００のＨＤＭＩ送受信部１０２から携帯電話２００側に信号を送信するようにＨＤＭＩ送受信部１０２を制御可能に構成されている。また、ＣＰＵ１０３は、携帯電話２００からテレビジョン装置１００側に送信されＨＤＭＩ送受信部１０２によって受信された信号を処理することができるように構成されている。
【００２４】
また、ＣＰＵ１０３は、携帯電話２００から送信されるとともにＨＤＭＩ送受信部１０２によって受信されたファームウェアデータをフラッシュメモリやハードディスクなどの不揮発性のメモリ１０７に転送して保存するように構成されている。ＣＰＵ１０３は、テレビジョン装置１００がファームウェアの更新を実行する場合には、メモリ１０７に保存されているファームウェアデータを読み出してファームウェアの更新を実行するように構成されている。
【００２５】
携帯電話２００は、図３に示すように、３Ｇ送受信部２０１と、ＷｉＦｉ送受信部２０２と、ＭＨＬ端子２０３と、ＭＨＬ送受信部２０４と、ＣＰＵ２０５と、メモリ２０６とを備えている。携帯電話２００は、ＭＨＬ規格に対応している。なお、３Ｇ送受信部２０１は、本発明の「無線通信部」の一例である。また、ＷｉＦｉ送受信部２０２は、本発明の「無線通信部」の一例である。また、ＣＰＵ２０５は、本発明の「第２制御部」の一例である。また、メモリ２０６は、本発明の「記憶部」の一例である。また、ＭＨＬ規格は、本発明の「第２インターフェース規格」の一例である。
【００２６】
３Ｇ送受信部２０１は、３Ｇネットワークに接続することによりファームウェアデータを取得するように構成されている。また、ＷｉＦｉ送受信部２０２は、ＷｉＦｉネットワークに接続することによりファームウェアデータを取得するように構成されている。
【００２７】
ＭＨＬ端子２０３は、ＭＨＬ端子２０３に接続されたＭＨＬ−ＨＤＭＩ変換ケーブル３００を介して、テレビジョン装置１００のＨＤＭＩ端子１０１に接続されている。ＭＨＬ端子２０３は、ＴＭＤＳ伝送路および制御信号（コマンド）の伝送に用いるＣＢＵＳ（Ｃｏｎｓｕｍｅｒ  Ｅｌｅｃｔｒｏｎｉｃｓ  Ｃｏｎｔｒｏｌ  Ｍｏｂｉｌｅ  Ｈｉｇｈ−ｄｅｆｉｎｉｔｉｏｎ  Ｌｉｎｋ）伝送路などを含んでいる。
【００２８】
ＭＨＬ送受信部２０４は、ＭＨＬ端子２０３とＣＰＵ２０５との間に設けられている。ＭＨＬ送受信部２０４は、携帯電話２００からテレビジョン装置１００に携帯電話２００のコマンド（ＣＢＵＳ制御信号）およびファームウェアデータを伝送するように構成されている。また、ＭＨＬ送受信部２０４は、テレビジョン装置１００から携帯電話２００に伝送されたテレビジョン装置１００からのコマンド（ＣＥＣ制御信号）をＭＨＬ−ＨＤＭＩ変換ケーブル３００を介して（ＭＨＬ−ＨＤＭＩ変換ケーブル３００により変換して）受信するように構成されている。
【００２９】
ＣＰＵ２０５は、テレビジョン装置１００の各部の制御を行うように構成されている。たとえば、ＣＰＵ２０５は、３Ｇ送受信部２０１による３Ｇネットワークの通信接続や、ＷｉＦｉ送受信部２０２によるＷｉＦｉネットワークの通信接続などの制御を行うように構成されている。
【００３０】
ＣＰＵ２０５は、携帯電話２００からテレビジョン装置１００側に信号（ファームウェアデータおよびコマンド（ＣＢＵＳ制御信号））を伝送するようにＭＨＬ送受信部２０４を制御可能に構成されている。また、ＣＰＵ２０５は、ＭＨＬ送受信部２０４によって受信されたテレビジョン装置１００からの信号を処理することが可能なように構成されている。
【００３１】
ＣＰＵ２０５は、３Ｇ送受信部２０１またはＷｉＦｉ送受信部２０２により受信されたファームウェアデータをフラッシュメモリなどの不揮発性のメモリ２０６に転送して保存するように構成されている。また、ＣＰＵ２０５は、メモリ２０６に保存されているファームウェアデータをＭＨＬ送受信部２０４からテレビジョン装置１００側に送信するように構成されている。
【００３２】
ＭＨＬ−ＨＤＭＩ変換ケーブル３００は、ＭＨＬデータとＨＤＭＩデータとを相互に変換できるように構成されている。ＭＨＬデータは、主にＣＢＵＳ制御信号とＴＭＤＳ信号とを含んでいる。また、ＨＤＭＩデータは、主にＣＥＣ制御信号とＴＭＤＳ信号とを含んでいる。なお、ＣＢＵＳ制御信号は、本発明の「第２制御信号」および「第２インターフェース規格に対応する信号」の一例である。また、ＴＭＤＳ信号は、「第１インターフェース規格に対応する信号」および「第２インターフェース規格に対応する信号」の一例である。また、ＣＥＣ制御信号は、本発明の「第１制御信号」および「第１インターフェース規格に対応する信号」の一例である。
【００３３】
ＭＨＬ−ＨＤＭＩ変換ケーブル３００は、携帯電話２００のＭＨＬ送受信部２０４から伝送されるＣＢＵＳ制御信号と、テレビジョン装置１００のＨＤＭＩ送受信部１０２から伝送されるＣＥＣ制御信号とを、相互に変換可能に構成されている。携帯電話２００のＭＨＬ送受信部２０４とテレビジョン装置１００のＨＤＭＩ送受信部１０２とは、それぞれ、ＣＢＵＳ制御信号とＣＥＣ制御信号とを用いることによって、コマンドの通信を行っている。
【００３４】
ＭＨＬ−ＨＤＭＩ変換ケーブル３００は、携帯電話２００のＭＨＬ送受信部２０４からＴＭＤＳ信号（ＴＭＤＳ伝送路）により伝送されるファームウェアデータをテレビジョン装置１００のＨＤＭＩ送受信部１０２により受信することが可能なように変換するように構成されている。具体的には、ＭＨＬ−ＨＤＭＩ変換ケーブル３００は、携帯電話２００により取得されたファームウェアデータを複数個のファイルに分割してテレビジョン装置１００に転送したり、テレビジョン装置１００のＣＰＵ１０３により読み込み可能なファイル形式に変換するように構成されている。携帯電話２００のＭＨＬ送受信部２０４は、ＴＭＤＳ信号（ＴＭＤＳ伝送路）を用いることによってテレビジョン装置１００にテレビジョン装置１００用のファームウェアデータを伝送するように構成されている。
【００３５】
次に、図４および図５を参照して、本発明の第１実施形態によるテレビジョン装置１００のファームウェア更新時における、テレビジョン装置１００のＣＰＵ１０３および携帯電話２００のＣＰＵ２０５の処理フローについて説明する。
【００３６】
まず、図４に示すように、テレビジョン装置１００のアップデートを行う保守作業者によって事前に携帯電話２００が操作され、３ＧネットワークまたはＷｉＦｉネットワークからテレビジョン装置１００のファームウェアデータが取得される。
【００３７】
その後、テレビジョン装置１００のファームウェアの更新を開始する場合には、保守作業者によりテレビジョン装置１００のＨＤＭＩ端子１０１と携帯電話２００のＭＨＬ端子２０３とがＭＨＬ−ＨＤＭＩ変換ケーブル３００を介して接続される。これにより、ファームウェアの更新処理が自動的に開始される。
【００３８】
具体的には、まず、ステップＳ１およびステップＳ２１において、テレビジョン装置１００のＣＰＵ１０３および携帯電話２００のＣＰＵ２０５により、テレビジョン装置１００と携帯電話２００との間でＭＨＬ−ＨＤＭＩ変換ケーブル３００を介した接続が検出される。なお、テレビジョン装置１００と携帯電話２００との接続は、それぞれの端子（ＨＤＭＩ端子１０１およびＭＨＬ端子２０３）に入力される電気信号に基づいて検出される。
【００３９】
次に、ステップＳ２において、テレビジョン装置１００のＣＰＵ１０３により携帯電話２００と接続されたか否かが判断される。ステップＳ２において、携帯電話との接続が確認された場合には、ステップＳ３に進む。ステップＳ２において、携帯電話との接続が確認されない場合には、上記ステップＳ１に戻る。
【００４０】
ステップＳ３において、アップデート可否確認のコマンド（ＣＥＣ制御信号）がテレビジョン装置１００から送信される。このコマンドの送信は、テレビジョン装置１００が携帯電話２００と接続されたことを認識した時点で送信される。また、このＣＥＣ制御信号によるコマンドは、ＭＨＬ−ＨＤＭＩ変換ケーブル３００によりＣＢＵＳ制御信号によるコマンドに変換されて携帯電話２００に送信される。
【００４１】
携帯電話２００側では、受信したアップデート可否確認のコマンドに基づいて、ステップＳ２２において、アップデート可否応答のコマンド（ＣＢＵＳ制御信号）が送信される。テレビジョン装置１００用のファームウェアデータが携帯電話２００のメモリ２０６内に存在しない場合には、アップデート不可のコマンド（ＣＢＵＳ制御信号）がテレビジョン装置１００側に送信される。一方、テレビジョン装置１００用のファームウェアデータが携帯電話２００のメモリ２０６内に存在する場合には、アップデート可能のコマンド（ＣＢＵＳ制御信号）がテレビジョン装置１００側に送信される。
【００４２】
そして、テレビジョン装置１００側では、ＭＨＬ−ＨＤＭＩ変換ケーブル３００によりＣＢＵＳ制御信号がＣＥＣ制御信号に変換されたコマンド（アップデート可否応答）を受信すると、ステップＳ４において、アップデート可能か否かが判断される。ステップＳ４において、アップデート可能と判断された場合には、ステップＳ５に進む。ステップＳ４において、アップデート不可能と判断された場合には、ステップＳ１４に進みファームウェアの更新処理が終了される。
【００４３】
ステップＳ５では、テレビジョン装置１００からファームウェアデータ有無確認のコマンド（ＣＥＣ制御信号）が携帯電話２００側に送信される。
【００４４】
携帯電話２００側では、ＭＨＬ−ＨＤＭＩ変換ケーブル３００によりＣＥＣ制御信号がＣＢＵＳ制御信号に変換されたコマンド（ファームウェアデータ有無確認）が受信されると、ステップＳ２３において、ファームウェアデータ有無応答のコマンドがテレビジョン装置１００に送信される。
【００４５】
テレビジョン装置１００側では、ＭＨＬ−ＨＤＭＩ変換ケーブル３００によりＣＢＵＳ制御信号がＣＥＣ制御信号に変換されたコマンド（ファームウェア有無応答）が受信されると、ステップＳ６において、ファームウェアデータの有無が判断される。携帯電話２００からのファームウェア有無応答のコマンドに基づいてファームウェアデータが有ると判断された場合には、ステップＳ７に進む。ステップＳ６において、ファームウェアデータがないと判断された場合には、ステップＳ１４に進みファームウェアの更新処理が終了される。
【００４６】
ステップＳ７において、ファームウェア更新モードに移行される。ファームウェア更新モードでは、テレビジョン装置１００のリモコンの操作が制限されるなどのテレビジョン装置１００の動作が制限され、ファームウェア更新を阻害しないように制御される。また、ステップＳ７において、ファームウェア更新モードに移行のコマンドがテレビジョン装置側１００から携帯電話２００側に送信される。並行して、携帯電話２００側でも、ステップＳ２４において、ファームウェア更新モードに移行される。
【００４７】
図５に示すように、ステップＳ８において、ファームウェアデータ識別コード送信依頼のコマンド（ＣＥＣ制御信号）がテレビジョン装置１００から携帯電話２００側に送信される。このコマンドの送信は、ファームウェア更新モードに移行された時点で送信される。
【００４８】
携帯電話２００側では、ＭＨＬ−ＨＤＭＩ変換ケーブル３００によりＣＥＣ制御信号がＣＢＵＳ制御信号に変換されたコマンド（ファームウェアデータ識別コード送信依頼）が受信されると、ステップＳ２５において、ファームウェアデータ識別コード送信のコマンド（ＣＢＵＳ制御信号）がテレビジョン装置１００から携帯電話２００側に送信される。
【００４９】
テレビジョン装置１００側では、ＭＨＬ−ＨＤＭＩ変換ケーブル３００によりＣＢＵＳ制御信号がＣＥＣ制御信号に変換されたコマンド（ファームウェアデータ識別コード送信）が受信されると、ステップＳ９において、テレビジョン装置１００のＣＰＵ１０３によりファームウェアデータ識別コードが比較される。すなわち、携帯電話２００から送信されたファームウェアデータ識別コードがテレビジョン装置１００自身のファームウェアデータの識別コードと比較される。そして、ステップＳ１０において、テレビジョン装置１００に送信されたファームウェアデータが一致する（テレビジョン装置１００に送信されたファームウェアデータがテレビジョン装置１００用のファームウェアデータである）場合には、ステップＳ１１に進む。ステップＳ１０において、ファームウェアデータの識別コードが一致しないと判断された場合には、ステップＳ１４に進みファームウェアの更新処理が終了される。
【００５０】
ステップＳ１１において、テレビジョン装置１００のＣＰＵ１０３によりファームウェアデータ送信依頼のコマンド（ＣＥＣ制御信号）が携帯電話２００に送信される。このコマンドは、テレビジョン装置１００に送信されたファームウェアデータが一致すると判別された時点で送信される。
【００５１】
携帯電話２００側では、ＭＨＬ−ＨＤＭＩ変換ケーブル３００によりＣＥＣ制御信号がＣＢＵＳ制御信号に変換されたコマンド（ファームウェアデータ送信依頼のコマンド）が、受信されると、ステップＳ２６において、ファームウェアデータがテレビジョン装置１００に送信される。このファームウェアデータの送信が完了すると、処理が終了される。
【００５２】
テレビジョン装置１００側では、ステップＳ１２において、受信されたファームウェアデータがメモリ１０７に保存されたことを確認することによって、ファームウェアデータの受信が完了したか否かが確認される。ステップＳ１２において、ファームウェアデータの受信が完了した場合には、ステップＳ１３に進む。ステップＳ１２において、ファームウェアデータの受信が完了していない場合には、ステップＳ１２に戻り、ファームウェアデータの受信が完了するまで待機する。
【００５３】
ステップＳ１３において、ＣＰＵ１０３によりメモリ１０７に保存されているファームウェアデータが実行されることによって、ファームウェアの更新処理が行われる。ファームウェアの更新が完了すると、処理が終了される。
【００５４】
第１実施形態では、上記のように、３Ｇネットワークと通信可能であるとともに３Ｇネットワークからテレビジョン装置１００用のファームウェアデータを取得する３Ｇ送受信部２０１およびＷｉＦｉネットワークと通信可能であるとともにＷｉＦｉネットワークからテレビジョン装置１００用のファームウェアデータを取得するＷｉＦｉ送受信部２０２を携帯電話２００に設けるとともに、音声データ、映像データおよびＣＥＣ制御信号を伝送して機器間の連携動作を行うことが可能なＨＤＭＩインターフェース規格対応のＨＤＭＩ端子１０１と、ＨＤＭＩ端子１０１にＭＨＬ−ＨＤＭＩ変換ケーブル３００を介して接続され、ＨＤＭＩ規格とは異なるとともにＨＤＭＩ規格とは相互に互換性を有するＭＨＬ規格対応のＭＨＬ端子２０３とを携帯電話２００に設ける。これにより、３ＧネットワークまたはＷｉＦｉネットワークからファームウェアデータを取得することができるので、携帯電話２００が３ＧネットワークまたはＷｉＦｉネットワークに接続可能な通信エリア内にあるか、または、通信エリア内において予めファームウェアデータを取得しておけば、テレビジョン装置１００の設置場所に通信環境が整っていない場合でも、ファームウェアデータを取得することができるとともに、ＨＤＭＩ端子１０１と相互に互換性を有するＭＨＬ端子２０３とをＭＨＬ−ＨＤＭＩ変換ケーブル３００を介して接続することができる。また、ＨＤＭＩ端子を含まない携帯電話２００からでもテレビジョン装置１００はファームウェアデータを取得することができる。
【００５５】
第１実施形態では、上記のように、テレビジョン装置１００と携帯電話２００とを、ＭＨＬ−ＨＤＭＩ変換ケーブル３００で接続するともに、接続されたことに基づいてファームウェアデータの更新に関する制御が開始されるように構成することによって、テレビジョン装置１００と携帯電話２００とをＭＨＬ−ＨＤＭＩ変換ケーブル３００を介して接続するだけで、ファームウェアデータの更新に関する制御を開始することができるとともに、テレビジョン装置１００と携帯電話２００との間に変換装置を設ける必要がなくなるので、構成を簡素化することができる。
【００５６】
第１実施形態では、上記のように、携帯電話２００のメモリ２０６にファームウェアデータが記憶されているか否かを確認するＣＥＣ制御信号をＨＤＭＩ端子１０１を介して携帯電話２００側に伝送する制御を行うＣＰＵ１０３をテレビジョン装置１００に設けるとともに、ＨＤＭＩ−ＭＨＬ変換ケーブル３００により変換されたＣＢＵＳ制御信号に基づいて動作するとともにメモリ２０６内にファームウェアデータが記憶されている場合には、メモリ２０６内のファームウェアデータの存在を通知するＣＢＵＳ制御信号とファームウェアデータとをテレビジョン装置１００側に伝送する制御を行うＣＰＵ２０５を携帯電話２００に設ける。これにより、ＣＰＵ２０５はメモリ２０６内にファームウェアデータが記憶されている場合には、メモリ２０６内のファームウェアデータを自動的にテレビジョン装置１００側に伝送することができるので、ファームウェア更新に関する保守作業者の操作作業量を減らすことができる。
【００５７】
第１実施形態では、上記のように、ファームウェアデータがテレビジョン装置１００に伝送された後ファームウェアの更新処理を実行するようにＣＰＵ１０４を構成することによって、携帯電話２００からテレビジョン装置１００にファームウェアデータの送信が完了するとテレビジョン装置１００のファームウェア更新が自動的に開始されるので、保守作業者がファームウェアデータの送信完了を確認してファームウェア更新を開始する作業を不要にすることができる。
【００５８】
第１実施形態では、上記のように、ＨＤＭＩデータとＭＨＬデータとを相互に変換するようにＭＨＬ−ＨＤＭＩ変換ケーブル３００を構成し、かつ、ＨＤＭＩ規格に対応したＨＤＭＩ端子１０１およびＭＨＬ規格に対応したＭＨＬ端子２０３のＴＭＤＳ伝送路を介してファームウェアデータを伝送するように構成することによって、互いにＴＭＤＳ伝送路を有するＨＤＭＩ端子１０１とＭＨＬ端子２０３との間で、高速なデータ伝送が可能なＴＭＤＳ伝送路により携帯電話２００からテレビジョン装置１００にファームウェアデータを高速で伝送することができる。
【００５９】
第１実施形態では、上記のように、３ＧネットワークおよびＷｉＦｉネットワークに接続可能であり、３ＧネットワークまたはＷｉＦｉネットワークの少なくとも一方からファームウェアデータを取得するように３Ｇ送受信部２０１またはＷｉＦｉ送受信部２０２を構成することによって、携帯電話２００に汎用されている通信可能エリアの広い３Ｇネットワークまたは通信可能エリア（アクセスポイント）が多数存在するＷｉＦｉネットワークの少なくとも一方を用いることにより広いエリアでファームウェアデータを取得することができる。
【００６０】
（第２実施形態）
次に、図１〜図４および図６を参照して、本発明の第２実施形態によるテレビジョン装置１００ａ（図１参照）のファームウェア更新時の処理について説明する。この第２実施形態では、ファームウェアデータの更新時において、携帯電話２００ａ（図１参照）にファームウェアデータがない場合にファームウェアデータを自動的に取得する例について説明する。
【００６１】
なお、第２実施形態のテレビジョン装置１００ａのファームウェア更新システム１ａのハードウェアの構成は、上記第１実施形態と同様である。また、テレビジョン装置１００ａのファームウェア更新システム１ａは、本発明の「映像機器のファームウェア更新システム」の一例である。また、テレビジョン装置１００ａは、本発明の「映像機器」の一例である。また、携帯電話２００ａは、本発明の「携帯通信端末」の一例である。
【００６２】
第２実施形態では、第１実施形態と異なりテレビジョン装置１００ａを制御するＣＰＵ１０３ａと携帯電話２００ａを制御するＣＰＵ２０５ａとは、携帯電話２００ａにファームウェアデータがない場合に携帯電話２００ａがファームウェアを取得するとともに取得したファームウェアデータを携帯電話２００ａからテレビジョン装置１００ａに送信するようにテレビジョン装置１００ａと携帯電話２００ａとを制御するように構成されている。なお、ＣＰＵ１０３ａは、本発明の「第１制御部」の一例である。また、ＣＰＵ２０５ａは、本発明の「第２制御部」の一例である。
【００６３】
図６に示すように、テレビジョン装置１００ａ側では、ステップＳ６（図４参照）においてＮｏと判断された場合（ファームウェアデータが携帯電話内に記憶されていない場合）にはステップＳ１０１に進む。また、携帯電話２００ａ側では、ステップＳ２３（図４参照）において、ファームウェアデータが携帯電話内に記憶されていない場合にはステップＳ１２１に進む。
【００６４】
テレビジョン装置１００ａ側では、ステップＳ１０１において、ファームウェアデータ取得モード移行のコマンド（ＣＥＣ制御信号）が携帯電話２００ａに送信される。その後、ステップＳ１０２に進み、テレビジョン装置１００ａは、携帯電話２００ａから送信されるファームウェアデータの取得が完了するまで待機状態に移行する。
【００６５】
携帯電話２００ａ側では、ＭＨＬ−ＨＤＭＩ変換ケーブル３００により、ＣＥＣ制御信号がＣＢＵＳ信号に変換されたコマンド（ファームウェアデータ取得モード移行）を受信すると、ステップＳ１２１において、ファームウェアデータ取得モードに移行される。
【００６６】
ステップＳ１２２では、携帯電話２００ａにより、３ＧネットワークまたはＷｉＦｉネットワークからファームウェアデータが取得される。
【００６７】
ファームウェアデータの取得が完了するとステップＳ１２３では、ファームウェアデータ取得完了のコマンド（ＣＢＵＳ制御信号）がテレビジョン装置１００ａに送信される。そして、ステップＳ２４（図４参照）に移行する（ファームウェア更新モードに移行する）。
【００６８】
一方、テレビジョン装置１００ａ側では、ステップＳ１０２において、ファームウェアデータが取得されたか否かが判断される。ＭＨＬ−ＨＤＭＩ変換ケーブル３００によりＣＢＵＳ制御信号がＣＥＣ制御信号に変換されたコマンド（ファームウェアデータ取得完了）が受信されると、ファームウェアデータの取得が完了されたと判断され、待機状態から復帰してステップＳ１０３に進む。また、ステップＳ１０２において、このコマンド（ファームウェアデータ取得完了）が受信されるまでの間は、ステップＳ１０２が繰り返され待機状態が継続される。
【００６９】
ステップＳ１０３において、ファームウェア更新モードが再開される。そして、テレビジョン装置１００ａは、ステップＳ７（図４参照）に移行する（ファームウェア更新モードに移行する）。
【００７０】
なお、第２実施形態の以降の処理フロー（ステップＳ７、ステップＳ２４以降の処理）については、上記第１実施形態と同様である。
【００７１】
第２実施形態では、上記のように、メモリ２０６内にファームウェアデータが記憶されていない場合には、３ＧネットワークまたはＷｉＦｉネットワークからファームウェアデータを取得するように３Ｇ送受信部２０１およびＷｉＦｉ送受信部２０２を制御するようにＣＰＵ２０５ａを構成することによって、携帯電話２００ａのメモリ２０６内にファームウェアデータが存在しない場合であっても、３Ｇ送受信部２０１またはＷｉＦｉ送受信部２０２がファームウェアデータを自動的に取得することができる。その結果、テレビジョン装置１００ａのファームウェア更新が中断することを抑制することができる。
【００７２】
また、第２実施形態では、上記のように、３ＧネットワークまたはＷｉＦｉネットワークからファームウェアデータを取得するように３Ｇ送受信部２０１およびＷｉＦｉ送受信部２０２を制御するとともに、テレビジョン装置１００ａを待機状態に移行するＣＢＵＳ制御信号をテレビジョン装置１００ａ側に伝送するように制御し、かつ、３Ｇ送受信部２０１またはＷｉＦｉ送受信部２０２がファームウェアデータを取得した場合には、テレビジョン装置１００ａを待機状態から復帰させるＣＢＵＳ制御信号をテレビジョン装置１００側に送信する制御を行うようにＣＰＵ２０５ａを構成する。これにより、テレビジョン装置１００ａが携帯電話２００ａからファームウェアデータを取得している間はテレビジョン装置１００ａを待機状態にしておくとともに、携帯電話２００ａによるファームウェアデータの取得が完了した場合にはテレビジョン装置１００ａを待機状態から復帰させることができるので、携帯電話２００ａによりファームウェアデータを取得している間のテレビジョン装置１００ａの消費電力を低減することができる。
【００７３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７４】
上記第１および第２実施形態では、本発明をテレビジョン装置１００（１００ａ）のファームウェア更新システムに適用した例を示したが、本発明はこれに限られない。本発明は、テレビジョン装置以外の映像機器のファームウェア更新システムに適用してもよい。
【００７５】
上記第１および第２実施形態では、本発明の携帯通信端末が携帯電話２００（２００ａ）である例を示したが、本発明はこれに限られない。携帯通信端末は、外部ネットワークと通信可能であれば携帯電話以外の機器であってもよい。
【００７６】
上記第１および第２実施形態では、本発明の第１インターフェース規格がＨＤＭＩ規格である例を示したが、本発明はこれに限られない。第１インターフェース規格は、複数の機器間で、音声データ、映像データおよび第１制御信号を伝送して機器間の連携動作を行うことが可能なものであればＨＤＭＩ規格以外の規格でもよい。
【００７７】
上記第１および第２実施形態では、本発明の第２インターフェース規格がＭＨＬ規格である例を示したが、本発明はこれに限られない。第２インターフェース規格は、第１インターフェース規格とは異なるとともに第１インターフェース規格とは相互に互換性を有するものであれば、ＭＨＬ規格以外の規格でもよい。
【００７８】
上記第１および第２実施形態では、本発明の所定のケーブルがＭＨＬ−ＨＤＭＩ変換ケーブル３００である例を示したが、本発明はこれに限られない。所定のケーブルは、第１インターフェース規格に対応する信号と第２インターフェース規格に対応する信号とを変換できるとともに、第１接続部と第２接続部とを接続できるものであれば、ＭＨＬ−ＨＤＭＩ変換ケーブル以外のケーブルであってもよい。
【００７９】
上記第１および第２実施形態では、テレビジョン装置２００（２００ａ）に、３Ｇ送受信部２０１とＷｉＦｉ送受信部２０２とを設けた例を示したが、本発明はこれに限られない。本発明では、３Ｇ送受信部とＷｉＦｉ送受信部とのうちの一方のみを設けてもよいし、３Ｇ送受信部およびＷｉＦｉ送受信部とは異なる他の無線通信部に設けてもよい。
【００８０】
上記第１および第２実施形態では、テレビジョン装置１００（１００ａ）のＣＰＵ１０３（１０３ａ）および携帯電話２００（２００ａ）のＣＰＵ２０５（２０５ａ）の処理動作を処理フローに沿って順番に処理を行うフロー駆動型のフローチャートを用いて説明したが、本発明はこれに限らない。本発明では、映像機器の第１制御部および携帯通信端末の第２制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８１】
１、１ａ  テレビジョン装置のファームウェア更新システム（映像機器のファームウェア更新システム）
１００、１００ａ  テレビジョン装置（映像機器）
１０１  ＨＤＭＩ端子（第１接続部）
１０７  メモリ（記憶部）
１０３、１０３ａ  ＣＰＵ（第１制御部）
２００、２００ａ  携帯電話（携帯通信端末）
２０１  ３Ｇ送受信部（無線通信部）
２０２  ＷｉＦｉ送受信部（無線通信部）
２０３  ＭＨＬ端子（第２接続部）
２０５、２０５ａ  ＣＰＵ（第２制御部）
２０６  メモリ（記憶部）
３００  ＭＨＬ−ＨＤＭＩ変換ケーブル（所定のケーブル）
【図１】
2012243247.tif 000003
【図２】
2012243247.tif 000004
【図３】
2012243247.tif 000005
【図４】
2012243247.tif 000006
【図５】
2012243247.tif 000007
【図６】
2012243247.tif 000008